【事件の表示】
　特許第２６９７６９６号「固体撮像装罐の駆動方法」の請求項１ないし６に係る特許に対する特許異議の申立てについて、次のとおり決定する。
【結論】
　訂正を認める。
　特許第２６９７６９６号の請求項１ないし２、４ないし６に係る特許を維持する。
【理由】
（１）手続の経緯
特許第２６９７６９６号の請求項１乃至６に係る発明は、昭和６３年７月２９日に出願され、平成９年９月１９日にその発明についての特許の設定登録がなされ、その後、その特許について、異議申立人松下電器産業株式会社より特許異議の申立がなされ、取消理由通知が通知され、その指定期間内である平成１１年６月７日に訂正請求がされたものである。
（２）訂正の適否の判断
　ア、訂正の内容
特許権者が求めている訂正の内容は、以下の通りである。
Ａ．特許請求の範囲に関し、
▲１▼特許請求の範囲の請求項１の「上記垂直転送レジスタに蓄積された第１及び第２の信号電荷を転送して垂直転送レジスタより出力する」を特許請求の範囲の減縮及び不明瞭な記載の釈明を目的として、「上記垂直転送レジスタに蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離する」に訂正する。
▲２▼請求項３を削除する。
▲３▼特許請求の範囲の元の請求項４（訂正後の請求項３）の「上記交互に蓄積された第１及び第２の信号電荷を転送して上記垂直転送レジスタより出力する」を特許請求の範囲の減縮及び不明瞭な記載の釈明を目的として、「上記交互に蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離する」に訂正する。
Ｂ．発明の詳細な説明に関し、
▲１▼明細書（特許公報）中、第２頁３欄第４６行〜第４９行（段落番号０００５）の「上記垂直転送レジスタに蓄積された第１及び第２の信号電荷を転送して上記垂直転送レジスタより出力するようにしたものである。」を不明瞭な記載の釈明を目的として、「上記垂直転送レジスタに蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離するようにしたものである。」に訂正する。
▲２▼明細書（特許公報）中、第２頁４欄第１１行〜第１３行（段落番号０００６）の「上記交互に蓄積された第１及び第２の信号電荷を転送して上記垂直転送レジスタより出力するようにしたものである。」を不明瞭な記載の釈明を目的として、「上記交互に蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離するようにしたものである。」に訂正する
イ．訂正の目的の適否と新規事項の有無及び拡張・変更の存否についての検討
上記Ａの訂正事項に関連する記載として、願書に添付した明細書（以下、特許明細書という）の発明の詳細な説明には「図６はこの回路構成を示す図で、撮像装置１０から読み出された信号電荷を、ＣＤＳ回路１３に供給し、ＣＤＳ回路１３から信号電荷に応じて順次出力される撮像信号を、切換スイッチ１４の可動接点１４ｍに供給する。そしてこの切換スイッチ１４の第１の固定接点１４ａに得られる信号を、遅延回路１５を介して加算器１６の第１の加算信号入力端子に供給し、第２の固定接点１４ｂに得られる信号を、加算器１６の第２の加算信号入力端子に供給する。この場合、遅延回路１５は、上述した電極Ｖ１Ａ及びＶ３Ａから供給される読み出しパルス信号Ｐ１と、電極Ｖ１Ｂ及びＶ３Ｂから供給される読み出しパルス信号Ｐ２との供給タイミングのずれに対応した時間（約１／１２０秒）だけ遅延させる回路である。・・・ここで、ＣＤＳ回路１３から出力される撮像信号について説明すると、この撮像信号は上述した如く２種類のタイミングで読み出した信号が１単位の信号毎に交互に得られる信号である。」（本願特許公報第６欄第１行〜第２３行）と記載されている。この１単位の信号は「第１の蓄積期間に上記受光素子に蓄積された第１の信号電荷」及び「上記第１の蓄積期間と異なる第２の蓄積期間に上記受光素子に蓄積された第２の信号電荷」を指すものであり、ＣＤＳ回路はこれら２つの信号電荷を分離するのであるから、「夫々の撮像信号を分離する」点は特許明細書に記載されているものと認められる。
そうすると、上記Ａの▲１▼及び▲３▼訂正は、特許明細書に記載された事項の範囲内において出力後の形態を限定したものであるから、特許請求の範囲の減縮に相当するものであり、新規事項の追加には該当しない。
▲３▼の請求項３を削除する点は明らかに特許請求の範囲の減縮である。
つぎに、上記Ｂの訂正は上記特許請求の範囲の訂正に合わせ詳細な説明の［課題を解決するための手段］を訂正するものであって、特許請求の範囲の減縮であり、新規事項の追加に該当しない。そして何れの補正も実質的に特許請求の範囲を拡張し、又は変更するものでもない。
ウ．独立特許要件について
後記（３）のエ．異議申立についての判断　の箇所で検討する通り、訂正明細書の請求項１乃至５に係る発明は、特許出願の際独立して特許を受けることができるものである。。
エ．結び
以上のとおりであるから、上記訂正は、特許法第１２０条の４第２項及び同条第３項において準用する第１２６条第２乃至４項の規定に適合するので、当該訂正を認める。
（３）特許異議申立について
ア．本件発明
平成１１年６月７日付けで提出された訂正明細書の請求項１乃至５に係る発明は、その特許請求の範囲に記載された事項により特定される次のとおりのものである。
　【請求項１】
　マトリクス状に配置された受光素子と、垂直方向の各受光素子の配列に対応して設けられた垂直転送レジスタとを有し、該垂直転送レジスタは複数の転送部からなる固体撮像装置の駆動方法において、
　第１の蓄積期間に上記受光素子に蓄積された第１の信号電荷を上記垂直転送レジスタに読み出してとびとびの上記転送部に蓄積し、
　上記第１の蓄積期間と異なる第２の蓄積期間に上記受光素子に蓄積された第２の信号電荷を、上記垂直転送レジスタに読み出して上記第１の信号電荷が蓄積されていないとびとびの上記転送部に蓄積し、
　上記垂直転送レジスタに蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離することを特徴とする固体撮像装置の駆動方法。
　【請求項２】
　上記第１の信号電荷と上記第２の信号電荷とは同じ受光素子から得られることを特徴とする請求項１記載の固体撮像装置の駆動方法
　【請求項３】
　マトリクス状に配置された受光素子と、垂直方向の各受光素子の配列に対応して設けられた垂直転送レジスタとを有し、該垂直転送レジスタは複数の転送部からなる固体撮俵装置の駆動方法において、
　第１のタイミングで上記受光素子に蓄積された第１の信号電荷を上記垂直転送レジスタに読み出してとびとびの上記転送部に蓄積し、
　上記第１のタイミング以後に上記受光素子に蓄積された第２の信号電荷を、上記第１のタイミングと異なる第２のタイミングで上記垂直転送レジスタに読み出して、上記垂直転送レジスタに上記第１及び第２の信号電荷が交互に位置するように上記転送部に蓄積し、
　上記交互に蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離することを特徴とする固体撮像装置の駆動方法。
　【請求項４】
　上記第１の信号電荷と上記第２の信号電荷とは同じ受光素子から得られることを特徴とする請求頃３記載の固体撮像装置の駆動方法。
　【請求項５】　上記第１のタイミングの後、上記第２のタイミングの前に上記垂直転送レジスタに蓄積された上記第１の信号電荷の転送を行うことを特徴とする請求項３記載の固体撮像装置の駆動方法。
イ．異議申立の理由の概要
特許異議申立人松下電器産業株式会社は、訂正前の請求項１乃至６の発明について、その出願前に出願されその出願後に公開された公開公報（特開昭６３−２５０９８０号公報）に記載された発明（以下先願発明という）と同一であり、本願出願人が該先願発明の出願人と同一でないから、特許法第２９条の２の規定により特許を受けることができないものであるから、取り消されるべきである旨主張する。
ウ．先願発明について
先願発明は蓄積時間を任意に選ぶことができる電子シャッタ機能を有する固体撮像装置に関するものであって（前記引用公報第２頁右上欄第６行〜第８行）、その特徴は１フィールド期間中に光電変換素子から垂直電荷転送手段への信号転送を少なくとも２回行い、垂直電荷転送手段は転送された信号電荷をそれぞれ独立に転送させるものである（前記引用公報第２頁右上欄第１０行〜第１４行、特許請求の範囲）。そしてその詳細な構成については以下の通り記載されている。
「同図は、第２図に示した従来の実施例に対して、垂直ＣＣＤのクロック配線１０６〜１１７を８相にしていること、および、掃き出し用電荷のための吸収領域１２１と水平ＣＣＤ４との結合部１２０を追加している点が異なる。本素子の動作を第１図、垂直ＣＣのポテンシャルとその動作パルスタイミングを示した第４図、第５図及び１フィールド期間全体に対するタイムチャートを示した第９図を用いて説明する。まず、各ホトダイオード１に蓄積された信号電荷が垂直ＣＣＤ３に転送される（第４図（ｂ）のｔ＝ｔ１；第９図のｔ＝ｔａ１）。垂直ＣＣＤ３に移された信号は第４図（ｂ）中、斜線で示した部分に保持されながら転送されていく。同図中、斜線を施していない領域は、別の信号電荷のための空いた領域であり、任意の時刻、例えばｔ＝ｔ１８の時（第９図のｔ＝ｔａ１、これはｔ＝ｔａ２と記載されているが後記ｔ＝ｔ３１とは異なるのであるから、ｔａ１の誤記と認められる）ではφｖ６およびφｖ８のゲートに対応したホトダイオードの信号を読み込むことができる。さらに続く時刻、ｔ＝ｔ３１の時（第９図のｔ＝ｔａ２に対応）ではφｖ２およびφｖ４のゲートに対応したホトダイオード１の信号を読み取ることができる。このようにして、通常の信号の転送時にも、別の時間に蓄積された信号の読み込みを行わすことができる。」（前記引用公報の第２頁左下欄第６行〜右下欄第９行）
「第８図は、本発明の別の実施例であり、ＣＣＤレジスタ１２２を通って出力される電荷を検出、増幅するための出力アンプ１２３を付加したものである。１２２，１２３より、第４図（ｂ）の斜線を施していない部分に相当する信号電荷も検出できる。」（前記引用公報第３頁第３行〜第８行）
エ．判断
訂正後の請求項１について
本件発明の受光素子、垂直転送レジスタ、固体撮像装置、とびとびの転送部は、夫々先願発明の光電変換素子、垂直電荷転送手段、φｖ２，φｖ４の転送部とφｖ６とφｖ８の転送部に対応する。さらに、先願発明には
「例えば、ｔ＝ｔ１８の時（第９図のｔ＝ｔａ１、これはｔ＝ｔａ２と記載されているが後記ｔ＝ｔ３１とは異なるのであるから、ｔａ１の誤記と認められる）ではφｖ６およびφｖ８のゲートに対応したホトダイオードの信号を読み込むことができる。さらに続く時刻、ｔ＝ｔ３１の時（第９図のｔ＝ｔａ２に対応）ではφｖ２およびφｖ４のゲートに対応したホトダイオード１の信号を読み取ることができる。このようにして、通常の信号の転送時にも、別の時間に蓄積された信号の読み込みを行わすことができる」（前記引用公報の第２頁右下欄第１行〜第９行）と記載されているが、この記載から、本願発明の第１の蓄積時間、第２の蓄積時間は、先願発明の「φｖ６およびφｖ８のゲートに対応したホトダイオードの信号」を蓄積する時間及び「φｖ２およびφｖ４のゲートに対応したホトダイオード１の信号」を蓄積する時間に対応する。
そうすると、本願と引用発明は、「マトリクス状に配置された受光素子と、垂直方向の各受光素子の配列に対応して設けられた垂直転送レジスタとを有し、該垂直転送レジスタは複数の転送部からなる固体撮像装置の駆動方法において、
　第１の蓄積期間に上記受光素子に蓄積された第１の信号電荷を上記垂直転送レジスタに読み出してとびとびの上記転送部に蓄積し、
　上記第１の蓄積期間と異なる第２の蓄積期間に上記受光素子に蓄積された第２の信号電荷を、上記垂直転送レジスタに読み出して上記第１の信号電荷が蓄積されていないとびとびの上記転送部に蓄積し、
　上記垂直転送レジスタに蓄積された第１及び第２の信号電荷を上記垂直転送レジスタ内を転送する」点で一致するといえる。
本件発明においては更に、「当該固体撮像装置から上記第１及び第２の信号電荷に応じた夫々の撮像信号として順次出力した後に、上記夫々の撮像信号を分離する」ようにしている。しかし、先願発明の第８図を検討しても、先願発明においては「固体撮像装置において上記第１及び第２の信号電荷を分離している」のであるから、前掲の「当該固体撮像装置から上記第１及び第２の信号電荷に応じた夫々の撮像信号として順次出力した後に、上記夫々の撮像信号を分離する」点の記載がないものといわなければならない。
訂正後の請求項２乃至５についても同様であるから、結局本件発明は先願発明の発明と同一とはいえない。また、他に本件発明について特許を取り消すべき理由を発見しない。
エ．むすび
以上の通りであるから、特許異議申立の理由及び証拠によっては、本件発明についての特許を取り消すべき理由を発見しない。
よって、結論のとおり決定する。
【異議決定日】
平成１１年７月１４日（１９９９．７．１４）
【訂正の要旨】
（３）訂正の要旨
▲１▼　訂正事項ａ
　特許第２６９７６９６号発明の明細書中、特許請求の範囲の請求項１の「上記垂直転送レジスタに蓄積された第１及び第２の信号電荷を転送して上記垂直転送レジスタより出力する」を特許請求の範囲の減縮及び不明瞭な記載の釈明を目的として、「上記垂直転送レジスタに蓄積された第１及び第２の信号電荷を上記垂直転送レジスタ内を転送した後当該固体撮像装置から上記第１及び第２の信号電荷に応じた夫々の撮像信号として順次出力した後に、上記夫々の撮像信号を分離する」に訂正する。
▲２▼訂正事項ｂ
　特許第２６９７６９６号発明の明細書中の特許請求の範囲の請求項１〜６において、もとの請求項３を削除し、以下項数を繰り上げて請求項１〜５とする（クレーム対応表参照）。これに伴って、訂正後の請求項４及び請求項５において引用する請求項についても、請求項４から請求項３に繰り上げる。
▲３▼訂正事項ｃ
　特許第２６９７６９６号発明の明細書中、特許請求の範囲のもとの請求項４（訂正後の請求項３）の「上記交互に蓄積された第１及び第２の信号電荷を転送して上記垂直転送レジスタより出力する」を特許請求の範囲の減縮及び不明瞭な記載の釈明を目的として、「上記交互に蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離する」に訂正する。
▲４▼訂正事項ｄ
　特許第２６９７６９６号発明の明細書（特許公報）中、第２頁３欄第４６行〜第４９行（段落番号０００５）の「上記垂直転送レジスタに蓄積された第１及び第２の信号電荷を転送して上記垂直転送レジスタより出力するようにしたものである。」を不明瞭な記載の釈明を目的として、「上記垂直転送レジスタに蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離するようにしたものである。」に訂正する。
▲５▼訂正事項ｅ
　特許第２６９７６９６号発明の明細書（特許公報）中、第２頁４欄第１１行〜第１３行（段落番号０００６）の「上記交互に蓄積された第１及び第２の信号電荷を転送して上記垂直転送レジスタより出力するようにしたものである。」を不明瞭な記載の釈明を目的として、「上記交互に蓄積された第１及び第２の信号電荷を上記垂直転送レジスタ内を転送した後、当該固体撮像装置から上記第１及び第２の信号電荷に応じた夫々の撮像信号として順次出力した後に、上記夫々の撮像信号を分離するようにしたものである。」に訂正する。
（５４）【発明の名称】
固体撮像装置の駆動方法
（５７）【特許請求の範囲】
　【請求項１】　マトリクス状に配置された受光素子と、垂直方向の各受光素子の配列に対応して設けられた垂直転送レジスタとを有し、該垂直転送レジスタは複数の転送部からなる固体撮像装置の駆動方法において、
　第１の蓄積期間に上記受光素子に蓄積された第１の信号電荷を上記垂直転送レジスタに読み出してとびとびの上記転送部に蓄積し、
　上記第１の蓄積期間と異なる第２の蓄積期間に上記受光素子に蓄積された第２の信号電荷を、上記垂直転送レジスタに読み出して上記第１の信号電荷が蓄積されていないとびとびの上記転送部に蓄積し、
　上記垂直転送レジスタに蓄積された第１及び第２の信号電荷を
上記垂直転送レジスタ内を転送した後、当該固体撮像装置から上記第１及び第２の信号電荷に応じた夫々の撮像信号として順次出力した後に、上記夫々の撮像信号を分離する
　【請求項２】　上記第１の信号電荷と上記第２の信号電荷とは同じ受光素子から得られることを特徴とする請求項１記載の固体撮像装置の駆動方法。
　【請求項３】　マトリクス状に配置された受光素子と、垂直方向の各受光素子の配列に対応して設けられた垂直転送レジスタとを有し、該垂直転送レジスタは複数の転送部からなる固体撮像装置の駆動方法において、
　第１のタイミングで上記受光素子に蓄積された第１の信号電荷を上記垂直転送レジスタに読み出してとびとびの上記転送部に蓄積し、
　上記第１のタイミング以後に上記受光素子に蓄積された第２の信号電荷を、上記第１のタイミングと異なる第２のタイミングで上記垂直転送レジスタに読み出して、上記垂直転送レジスタに上記第１及び第２の信号電荷が交互に位置するように上記転送部に蓄積し、
　上記交互に蓄積された第１及び第２の信号電荷を
上記垂直転送レジスタ内を転送した後、当該固体撮像装置から上記第１及び第２の信号電荷に応じた夫々の撮像信号として順次出力した後に、上記夫々の撮像信号を分離する
　【請求項４】　上記第１の信号電荷と上記第２の信号電荷とは同じ受光素子から得られることを特徴とする請求項
３
　【請求項５】　上記第１のタイミングの後、上記第２のタイミングの前に上記垂直転送レジスタに蓄積された上記第１の信号電荷の転送を行うことを特徴とする請求項
３
【発明の詳細な説明】
　【０００１】
　　【発明の属する技術分野】
　本発明は、ビデオカメラに使用して好適な固体撮像装置に関する。
　【０００２】
　　【従来の技術】
　従来、ＣＣＤ等の固体撮像装置の駆動方法として、フィールド蓄積やフレーム蓄積が知られている。また、各フィールドまたはフレーム内において信号電荷の蓄積時間をシャッタ速度に対応した時間に設定することによって露光制御を行うことができる。
　【０００３】
　　【発明が解決しようとする課題】
　従来の固体撮像装置の駆動方法では１フィールドの期間には蓄積期間は一回だけであり、１フィールドの時間に時間的に１つの情報しか得ることができず、撮像情報の欠落や撮像における時間的な自由度が低いという不都合があった。
　【０００４】
　本発明にかかる点に鑑み、例えば１フィールドの期間に時間的な異なる複数の撮像情報を簡単に得ることのできる固体撮像装置の駆動方法を提供することを目的とする。
　【０００５】
　　【課題を解決するための手段】
　本発明の固体撮像装置の駆動方法は、マトリクス状に配置された受光素子と、垂直方向の各受光素子の配列に対応して設けられた垂直転送レジスタとを有し、該垂直転送レジスタは複数の転送部からなる固体撮像装置の駆動方法において、第１の蓄積期間に上記受光素子に蓄積された第１の信号電荷を上記垂直転送レジスタに読み出してとびとびの上記転送部に蓄積し、上記第１の蓄積期間と異なる第２の蓄積期間に上記受光素子に蓄積された第２の信号電荷を、上記垂直転送レジスタに読み出して上記第１の信号電荷が蓄積されていないとびとびの上記蓄積部に蓄積し、上記垂直転送レジスタに蓄積された第１及び第２の信号電荷を
上記垂直転送レジスタ内を転送した後、当該固体撮像装置から上記第１及び第２の信号電荷に応じた夫々の撮像信号として順次出力した後に、上記夫々の撮像信号を分離する
　【０００６】
　また本発明の固体撮像装置の駆動方法は、マトリクス状に配置された受光素子と、垂直方向の各受光素子の配列に対応して設けられた垂直転送レジスタとを有し、該垂直転送レジスタは複数の転送部からなる固体撮像装置の駆動方法において、第１のタイミングで上記受光素子に蓄積された第１の信号電荷を上記垂直転送レジスタに読み出してとびとびの上記転送部に蓄積し、上記第１のタイミング以後に上記受光素子に蓄積された第２の信号電荷を、上記第１のタイミングと異なる第２のタイミングで上記垂直転送レジスタに読み出して、上記転送レジスタに上記第１及び第２の信号電荷が交互に位置するように上記転送部に蓄積し、上記交互に蓄積された第１及び第２の信号電荷を
上記垂直転送レジスタ内を転送した後、当該固体撮像装置から上記第１及び第２の信号電荷に応じた夫々の撮像信号として順次出力した後に、上記夫々の撮像信号を分離する
　【０００７】
　本発明によると、例えば１フィールドの期間中に複数のタイミングで撮像した撮像信号が得られる。
　【０００８】
　　【発明の実施の形態】
　以下、本発明の固体撮像装置の駆動方法の１実施例を、図１〜図１５を参照して説明しよう。
　【０００９】
　図１において、１０はＣＣＤ型の固体撮像装置の全体を示し、この撮像装置１０はインターライン転送型のもので、感光部としての受光素子１１が所定個マトリクス状に配置してある。そして、垂直方向の各受光素子１１の配列毎に、ＣＣＤよりなる垂直転送レジスタ１２が設けてある。そしてこの撮像装置１０は、所謂４相駆動方式としてもので、転送用電極Ｖ１，Ｖ２，Ｖ３，Ｖ４が接続してある。この場合、本例においては電極Ｖ１及びＶ３は、夫々電極Ｖ１ＡとＶ１Ｂ及びＶ３ＡとＶ３Ｂの２系統に分けてある。即ち、各垂直転送レジスタ１２は、各転送部１２１Ａ，１２１Ｂ，１２２，１２３Ａ，１２３Ｂ，１２４が夫々電極Ｖ１Ａ，Ｖ１Ｂ，Ｖ２，Ｖ３Ａ，Ｖ３Ｂ，Ｂ４と接続してあり、１個の受光素子１１毎に２個の転送部が割り当ててある。この配列順序は、転送部１２４，１２１Ａ，１２２，１２３Ａ，１２４，１２１Ｂ，１２２，１２３Ｂ，１２４，１２１Ａ，１２２‥‥としてあり、系統分けされた転送部１２１Ａ，１２３Ａと１２１Ｂ，１２３Ｂとは交互に配してあり、例えば受光素子１１１が転送部１２４，１２１Ａに対応し、受光素子１１２が転送部１２２，１２３Ａに対応し、受光素子１１３が転送部１２４，１２１Ｂに対応し、受光素子１１４が転送部１２２，１２３Ｂに対応している。また、図示はしいないが各受光素子１１には蓄積した不要電荷を捨てるためのドレインが接続してある。
　【００１０】
　そして、この撮像装置１０の各電極Ｖ１Ａ〜Ｖ４に加える本例のパルス信号を図２に示す。この図２において、図２Ａ，Ｂ，Ｃ，Ｄ，Ｅ，及びＦは夫々電極Ｖ１Ａ，Ｖ１Ｂ，Ｖ２，Ｖ３Ａ，Ｖ３Ｂ及びＶ４に供給されるパルス信号を示し、夫々の電極Ｖ１Ａ〜Ｖ４には所定周期で転送用パルス信号Ｐ０が供給され、この転送用パルスＰ０の各転送部１２１Ａ〜１２４への供給で、信号電荷の垂直転送作業が行われる。そして、電極Ｖ１Ａ及びＶ３Ａには、１／６０秒毎に読出し用パルス信号Ｐ１が同じタイミングで供給され、電極Ｖ１Ｂ及びＶ３Ｂには読出し用パルス信号Ｐ１と１／１２０秒ずれたタイミングで読出し用パルス信号Ｐ２が供給される。なお、この図２Ａ，Ｂ，Ｃ，Ｄ，Ｅ及びＦに示したパルス信号の詳細な信号状態を図３Ａ，Ｂ，Ｃ，Ｄ，Ｅ及びＦに示す。
　【００１１】
　次に、このようにしてパルス信号が供給される撮像装置１０の信号読出し状態を図４を参照して説明する。この図４の場合には、説明のため受光素子１１と垂直転送レジスタ１２とを１列だけ示す。まず、図４Ａに示す如く所定のタイミングで各受光素子１１が受光による信号電荷をシャッタ速度に相当する所定時間（例えば１／１０００秒）蓄積しているとする。この信号電荷を徳積している箇所をハッチングを付して示す。このとき、電極Ｖ１Ａ及びＶ３Ａから転送部１２１Ａ及び１２３Ａに読出しパルス信号Ｐ１が供給され、図４Ｂに示す如く、受光素子１１１及び１１２に蓄積された信号電荷が、転送部１２１Ａ及び１２３Ａに読出され、転送部１２１Ａ，１２２及び１２３Ａで混合されて１単位の信号とされる。そして、転用用パルス信号Ｐ０の供給により、図４Ｃに示す如く、順次この１単位の信号電荷が垂直転送レジスタ１２内で垂直に転送される。そして次に、電極Ｖ１Ｂ及びＶ３Ｂから読出しパルス信号Ｐ２が供給される直前になると、各受光素子１１に蓄積された信号電荷を一旦ドレインに捨てた後、シャッタ速度に相当する時間だけ再び受光による信号電荷の蓄積を行う。
　【００１２】
　このときの蓄積電荷を、図４Ｄにダブルハッチングを付して示す。そして、この蓄積した信号電荷を、電極Ｖ１Ｂ及びＶ３Ｂから転送部１２１Ｂ及び１２３Ｂへの読出しパルス信号Ｐ２の供給で、図４Ｅに示す如く読出す。このときには、１／１２０秒前に受光素子１１１及び１１２からよみ出された信号電荷の転送領域と重ならないタイミングとする。このようにして、異なるタイミングで読出した信号が１単位の信号毎に交互に得られるようになる。
　【００１３】
　ここで、この垂直転送レジスタ１２内の信号電荷の動きを、図５に断面で示す。即ち、図５Ａに示す如く各電極Ｖ１４〜Ｖ４が各転送部１２１Ａ〜１２４に接続してあるとすると、図５Ｂに示す如く、受光素子１１１及び１１２から転送部１２１Ａ及び１２３Ａに読出される。そしてこの読出された信号電荷は、図５Ｃ，図５Ｄ及び図５Ｅに示す順序で順次転送されて行く。そして所定量だけ転送された後、図５Ｆに示す如く、この受光素子１１３及び１１４から読出された信号電荷が転送部１２１Ｂ及び１２３Ｂに読出され、図５Ｇに示す如く、以下順に転送されて行く。
　【００１４】
　次に、この撮像装置が備える読出し信号の処理回路の構成について説明する。図６はこの回路構成を示す図で、撮像装置１０から読出された信号電荷を、ＣＤＳ回路１３に供給し、ＣＤＳ回路１３から信号電荷に応じて順次出力される撮像信号を、切換スイッチ１４の可動接点１４ｍに供給する。そして、この切換スイッチ１４の第１の固定接点１４ａに得られる信号を、遅延回路１５を介して加算器１６の第１の加算信号入力端子に供給し、第２の固定接点１４ｂに得られる信号を、加算器１６の第２の加算信号入力端子に供給する。この場合、遅延回路１５は、上述した電極Ｖ１Ａ及びＶ３Ａから供給される読出しパルス信号Ｐ１と、電極Ｖ１Ｂ及びＶ３Ｂから供給される読出しパルス信号Ｐ２との供給タイミングのずれに対応して時間（約１／１２０秒）だけ遅延させる回路である。
　【００１５】
　そして、加算器１６で第１及び第２の入力端子に得られる撮像信号を加算してライン相関回路１７に供給し、このライン相関回路１７から読出された撮像信号を、出力端子１８を介してビデオテープレコーダ、モニタテレビジョン受像機等のビデオ機器に供給する。
　【００１６】
　ここで、ＣＤＳ回路１３から出力される撮像信号について説明すると、この撮像信号は上述した如く２種類のタイミングで読出した信号が１単位の信号毎に交互に得られる信号である。このタイミング状態を図７に示すと、読出し用パルス信号Ｐ１で読出された撮像信号ＦＡが１フィールド毎に図７Ａに示すタイミングで得られるとすると、読出し用パルス信号Ｐ２で読出された撮像信号ＦＢは図７Ｂに示す如く１／２フィールド（０．５Ｖ）だけ遅れて得られ、撮像信号ＦＡとＦＢとで読出し期間が重なる区間Ｗが生じる。
　【００１７】
　ここで、図６の回路構成に戻ると、撮像信号が得られる切換スイッチ１４の可動接点１４ｍを１単位の撮像信号毎に切換えさせることで、撮像信号ＦＡは第１の固定接点１４ａに得られ、撮像信号ＦＢは第２の固定接点１４ｂに得られる。そして、遅延回路１５により第１の固定接点１４ａに得られる撮像信号ＦＡは１／２フィールドだけ遅延されるので、加算回路１６で撮像信号ＦＡと撮像信号ＦＢとのタイミングが一致した状態で加算される。そして、この加算信号がライン相関回路１７に供給される。このとき、このライン相関回路１７に供給される信号のうち、撮像信号１０の受光素子１１１，１１２からの信号電荷による１単位の撮像信号は、１水平ライン毎に画像情報の無いラインが存在する信号となる。同様に受光信号１１３，１１４からの信号電荷による１単位の撮像信号も１水平ライン毎に画像情報の無いラインが存在する信号になる。このため、ライン相関回路１７で供給される撮像信号の画像情報の無い水平ラインを、直前（又は直後）の水平ラインの信号より補間し、全ての水平ラインで撮像した画像情報が得られる撮像信号とし、この補間した撮像信号を出力端子１８から出力させる。なお、この水平ライン毎の補間を行うことで、撮像信号の垂直解像度は半分に低下する。
　【００１８】
　次に、この出力端子１８から出力される信号が、実際にどのような画像の信号になるのかを図８以降を参照して説明する。まず、撮像装置１０で静止した三角形状のものと高速で水平方向に移動する四角形状のものを撮影しているとする。このときの或るタイミングでの所定期間（例えば１／１０００秒間）受光素子１１が蓄積した信号電荷を、図８にハッチングを付して示す。この信号電荷は図９に示す如く、２画素おきに垂直転送レジスタ１２に読出す。そして、１／１２０秒過程して次の撮影タイミングになる直前に、残りの信号電荷を図１０に示す如くドレインに捨てた後、図１１に示す如く受光素子１１が所定期間（例えば１／１０００秒間）信号電荷の蓄積を行う。このとき、三角形状のものは静止しているので図８に示した撮影とは同一位置に信号電荷が蓄積されるが、四角形状のものは高速で移動しているので、異なる位置に信号電荷が蓄積される。そして、このときの信号電荷が図１２に示す如く垂直転送レジスタ１２に読出され、図９に示したタイミングで読出した信号電荷と交互に図１３に示す如く転送される。
　【００１９】
　このようにして撮像装置１０から読出された信号を上述した処理回路（図６）に供給することで、例えばゴルフのスイング中を撮影しているときには、図１４中に示す如く、１／１２０秒ずれた異なるタイミングでの画像が合成されて表示されるようになり、クラブ１及びボール２が２重に表示される。このため、従来のものに比べ１／２の間隔で画像情報が得られ、特殊な撮像装置及びビデオ機器を使用することなく簡単に、ボール２の軌跡等の判別が従来の撮像画像より正確にできる。なお、１フィールドに１回信号読出しを行う通常の撮影時には、２系統に分けた電極Ｖ１ＡとＶ１Ｂ及びＶ３ＡとＶ３Ｂとに同じ信号を供給するようにすればよい。
　【００２０】
　なお、上述実施例においては、１フィールド内の異なるタイミングで読出す画素（受光素子１１）を、夫々のタイミングで変えていたが、夫々のタイミングで同じ画素から読出したり、或いは別の画素の組合せとしても良い。即ち、本例の如き２ライン同時読出しを行う場合の組合せの例を図１５に示すと、通常の１フィールドで１回の読出しのときは、この図１５の左側の欄に示す如く偶数フィールドで１ラインと２ラインの画素、３ラインと４ラインの画素、５ラインと６ラインの画素と‥‥読出し、奇数フィールドで２ラインと３ラインの画素、４ラインと５ラインの画素‥‥と読出す。そして、高速シャッタモードの使用で１フィールドで２回の読出を行うとき、上述した実施例の場合には組合せ１の欄に示す如く、各フィールドの最初の読出しで１ラインと２ラインの画素、５ラインと６６ラインの画素‥‥と読出し、２回目の読出しで３ラインと４ラインの画素、７ラインと８ラインの画素‥‥と読出すようにした。これに対し、組合せ２の欄に示す如く、全ての読出しのとき同じ画素から読出すようにしたり、組合せ３又は４の欄に示す如く、奇数フィールドのとき１画素又は２画素だけずらしたり、組合せ５の欄に示す如く、偶数フィールドの１回目と２回目及び奇数フィールドの１回目と２回目とで全て読出す画素の組合せを変えるようにしてもよい。
　【００２１】
　また、上述実施例において１フィールド毎に２画素同時読出しを行う４相駆動方式の撮像装置に適用した場合について説明したが、２相駆動方式のもの、全画素読出しを行うもの、フレーム読出しを行うもの等種々の固体撮像装置に本発明が適用できることは勿論である。さらに、１フィールドで２回読出しを行うようにしたが、３回以上読出しを行うようにしてもよい。但しこの場合には、読出し電極を３系統以上に分ける必要がある。さらにまた、本発明は上述実施例に限らず、本発明の要旨を逸脱することなく、その他種々の構成が取り得ることは勿論である。
　【００２２】
　　【発明の効果】
　本発明の固体撮像装置によると、例えば１フィールドの期間中に複数のタイミングで撮像した撮像信号を極めて簡単に得ることができる。
【図面の簡単な説明】
　【図１】
　本発明の固体撮像装置の一実施例を示す構成図である。
　【図２】
　図１の説明に供する線図である。
　【図３】
　図１の説明に供する線図である。
　【図４】
　図１の説明に供する線図である。
　【図５】
　図１の説明に供する線図である。
　【図６】
　図１例の固体撮像装置が備える回路構成図である。
　【図７】
　図１の説明に供する線図である。
　【図８】
　図１の説明に供する線図である。
　【図９】
　図１の説明に供する線図である。
　【図１０】
　図１の説明に供する線図である。
　【図１１】
　図１の説明に供する線図である。
　【図１２】
　図１の説明に供する線図である。
　【図１３】
　図１の説明に供する線図である。
　【図１４】
　図１の説明に供する線図である。
　【図１５】
　図１の説明に供する線図である。
　【符号の説明】
　１０　固体撮像装置
　１１　受光素子
　１２　垂直転送レジスタ
　Ｖ１Ａ，Ｖ１Ｂ，Ｖ２，Ｖ３Ａ，Ｖ３Ｂ，Ｖ４　電極